(57)【特許請求の範囲】
【請求項１】
水処理設備において発生した事象を表す事象情報、及び、前記水処理設備においてなされた操作を表す操作情報と、時刻情報とが対応付けられた履歴情報に、前記水処理設備の異常を表す単語として予め定められたキーワードを付与する制御部と、
前記履歴情報から、前記キーワードが付与されているという条件を満たす前記事象情報及び前記操作情報の少なくとも一方と前記時刻情報との組を抽出する抽出部と、
抽出した前記組を時系列に並べた提示用情報を作成する作成部と、
を備え、
前記制御部は、前記キーワードで特定の情報が表される前記事象情報及び前記操作情報を取得し、取得された前記事象情報及び前記操作情報の前記特定の情報を表す前記キーワードを前記履歴情報に付与する、
情報作成装置。
【請求項２】
前記抽出部は、前記事象情報を表す値と閾値との大小関係に基づいて、前記事象情報と前記時刻情報との組を前記履歴情報から抽出する、請求項１に記載の情報作成装置。
【請求項３】
前記抽出部は、前記事象情報を表す値が所定時間帯における最大値である否かに基づいて、前記事象情報と前記時刻情報との組を前記履歴情報から抽出する、請求項１に記載の情報作成装置。
【請求項４】
前記事象情報は、雨量を表す情報である、請求項１から請求項３のいずれか一項に記載の情報作成装置。
【請求項５】
前記事象情報は、水位を表す情報である、請求項１から請求項３のいずれか一項に記載の情報作成装置。
【請求項６】
前記事象情報は、濁度を表す情報である、請求項１から請求項３のいずれか一項に記載の情報作成装置。
【請求項７】
前記履歴情報から特定個所を検索した結果を表示する表示部
を更に備える、請求項１から請求項６のいずれか一項に記載の情報作成装置。
【請求項８】
水処理設備において発生した事象を表す事象情報、及び、前記水処理設備においてなされた操作を表す操作情報と、時刻情報とが対応付けられた履歴情報に、前記水処理設備の異常を表す単語として予め定められたキーワードを付与する制御部と、
前記履歴情報から、前記キーワードが付与されているという条件を満たす前記事象情報及び前記操作情報の少なくとも一方と前記時刻情報との組を抽出する抽出部と、
抽出した前記組を時系列に並べた提示用情報を作成する作成部と、
を備える情報作成装置と、
前記履歴情報を記憶するデータベースと、
を備え、
前記制御部は、前記キーワードで特定の情報が表される前記事象情報及び前記操作情報を取得し、取得された前記事象情報及び前記操作情報の前記特定の情報を表す前記キーワードを前記履歴情報に付与する、
情報作成システム。
【請求項９】
コンピュータに、
水処理設備において発生した事象を表す事象情報、及び、前記水処理設備においてなされた操作を表す操作情報と、時刻情報とが対応付けられた履歴情報に、前記水処理設備の異常を表す単語として予め定められたキーワードを付与する手順と、
前記履歴情報から、前記キーワードが付与されているという条件を満たす前記事象情報及び前記操作情報の少なくとも一方と前記時刻情報との組を抽出する手順と、
抽出した前記組を時系列に並べた提示用情報を作成する手順と、
を実行させ、
前記付与する手順では、前記キーワードで特定の情報が表される前記事象情報及び前記操作情報を取得し、取得された前記事象情報及び前記操作情報の前記特定の情報を表す前記キーワードを前記履歴情報に付与する、
ための情報作成プログラム。
【請求項１０】
情報作成システムにおける情報作成方法であって、
水処理設備において発生した事象を表す事象情報、及び、前記水処理設備においてなされた操作を表す操作情報と、時刻情報とが対応付けられた履歴情報に、前記水処理設備の異常を表す単語として予め定められたキーワードを付与するステップと、
前記履歴情報から、前記キーワードが付与されているという条件を満たす前記事象情報及び前記操作情報の少なくとも一方と前記時刻情報との組を抽出するステップと、
抽出した前記組を時系列に並べた提示用情報を作成するステップと、
を含み、
前記付与するステップでは、前記キーワードで特定の情報が表される前記事象情報及び前記操作情報を取得し、取得された前記事象情報及び前記操作情報の前記特定の情報を表す前記キーワードを前記履歴情報に付与する、
情報作成方法。
【発明の詳細な説明】
【技術分野】
【０００１】
本発明の実施形態は、情報作成装置、情報作成システム、情報作成プログラム及び情報作成方法に関する。
【背景技術】
【０００２】
水処理設備の運転には、咄嗟の判断が必要とされる場合がある。また、水処理設備を運転する運転員は、世代交代等によって、熟練度の高い運転員から熟練度の高くない運転員に交代する場合がある。しかしながら、水処理設備の熟練度の高い運転員が有する操作情報を、次世代の運転員に継承するのは容易でない場合があった。
【先行技術文献】
【特許文献】
【０００３】
【特許文献１】特開２００８−５７１８６号公報
【特許文献２】特開２００２−２５９５０４号公報
【発明の概要】
【発明が解決しようとする課題】
【０００４】
本発明が解決しようとする課題は、水処理設備の操作情報を含む提示用情報を作成することができる情報作成装置、情報作成システム、情報作成プログラム及び情報作成方法を提供することである。
【課題を解決するための手段】
【０００５】
実施形態の情報作成装置は、抽出部と、作成部とを持つ。抽出部は、水処理設備において発生した事象を表す事象情報、及び、前記水処理設備においてなされた操作を表す操作情報と、時刻情報とが対応付けられた履歴情報から、条件を満たす前記事象情報及び前記操作情報の少なくとも一方と前記時刻情報との組を抽出する。作成部は、抽出した前記組を時系列に並べた提示用情報を作成する。
【図面の簡単な説明】
【０００６】
【図１】第１の実施形態における、情報作成システムの構成を示す図。
【図２】第１の実施形態における、履歴情報を示す図。
【図３】第１の実施形態における、提示用情報の図。
【図４】第１の実施形態における、履歴情報のグラフを示す図。
【図５】第１の実施形態における、情報作成システムの動作を示す図。
【図６】第２の実施形態における、情報作成システムの構成を示す図。
【発明を実施するための形態】
【０００７】
以下、実施形態の情報作成装置、情報作成システム、情報作成プログラム及び情報作成方法を、図面を参照して説明する。
（第１の実施形態）
図１は、第１の実施形態の情報作成システム１ａの構成を示す図である。情報作成システム１ａは、対象設備１０と、制御装置２０と、観測装置３０と、中継装置４０と、情報作成装置５０と、情報端末６０とを備える。情報作成装置５０と情報端末６０は、例えば、情報作成システム１ａの中央操作室に備えられる。情報作成システム１ａは、以下に説明する処理によって、マニュアル（手引書）として使用可能な提示用情報を作成する。情報作成システム１ａは、対象設備１０の運転員（オペレータ）などに、提示用情報を提示する。
【０００８】
提示用情報は、対象設備１０の事象情報及び操作情報の少なくとも一方と時刻情報との組を、時系列に並べた情報である。事象情報（トレンドデータ）は、対象設備１０の敷地内や敷地外において発生した事象を表す情報である。事象は、連続値や離散値で表現されてもよい。操作情報は、対象設備１０において運転員によってなされた操作を表す情報である。
【０００９】
対象設備１０は、情報作成装置５０によって監視される対象の設備である。対象設備１０は、どのような設備でもよく、特定の設備に限定されない。第１の実施形態では、対象設備１０は、浄水場である。対象設備１０は、取水ゲート１１と、沈砂池１２と、水位計１３と、着水井１４と、濁度計１５と、ポンプＰ１と、フロック形成池１６と、沈澱池１７と、ポンプＰ２と、ろ過池１８と、混和池１９と、浄水池ＣＷと、バルブＢＬとを備える。
【００１０】
取水ゲート１１は、開度に応じて原水を通過させることにより、沈砂池１２に原水を供給する。
沈砂池１２は、原水に含まれる土砂などを沈殿させて、原水から除くための池である。
水位計１３は、沈砂池１２の水位を測定する。水位計１３は、沈砂池１２の水位情報を、制御装置２０に出力する。
【００１１】
着水井１４は、フロック形成池１６に供給する水の量を調整するための池である。
濁度計１５は、着水井１４の水の濁度を測定する。濁度計１５は、着水井１４の水の濁度情報を、制御装置２０に出力する。
【００１２】
ポンプＰ１は、制御装置２０による制御に応じて、着水井１４の水をフロック形成池１６に供給する。ポンプＰ１は、運転員による手動操作に応じて、着水井１４の水をフロック形成池１６に供給してもよい。
フロック形成池１６は、注入された凝集剤によって、供給された水に含まれる土砂等から濁質の塊（フロック）を形成する。
【００１３】
沈澱池１７は、形成された濁質の塊を沈澱させるための池である。
ポンプＰ２は、制御装置２０による制御に応じて、沈澱池１７の水をろ過池１８に供給する。ポンプＰ２は、運転員による手動操作に応じて、沈澱池１７の水をろ過池１８に供給してもよい。
【００１４】
ろ過池１８では、沈澱池１７で形成された濁質の塊を、ろ過砂がろ過する。
混和池１９では、注入された薬品が、ろ過された水を消毒する。この薬品は、例えば、塩素やオゾンである。
浄水池ＣＷは、混和池１９で消毒された水を溜める。
バルブＢＬは、制御装置２０による制御に応じて、浄水池ＣＷの水を対象設備１０の外に供給する。バルブＢＬは、運転員による手動操作に応じて、浄水池ＣＷの水を対象設備１０の外に供給してもよい。
【００１５】
制御装置２０は、情報作成装置５０から中継装置４０を介して受信した操作情報に基づいて、対象設備１０を制御する。制御装置２０は、通信部２１と、制御部２２と、データベース２３とを備える。通信部２１と、制御部２２との一部または全部は、例えば、ＣＰＵ（Central Processing Unit）等のプロセッサが、メモリに記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。
【００１６】
通信部２１は、対象設備１０の事象情報を、対象設備１０から取得する。対象設備１０の事象情報は、例えば、対象設備１０の敷地内の雨の量を表す情報、沈砂池１２の水位情報、着水井１４の水の濁度情報や、管渠の水の流量である。
【００１７】
通信部２１は、観測装置３０から中継装置４０を介して、観測装置３０が観測した事象を表す情報を受信する。観測装置３０が観測した事象を表す情報は、例えば、対象設備１０の敷地内に振った雨の量を表す情報や、対象設備１０の敷地外に振った雨の量を表す情報である。
【００１８】
通信部２１は、情報作成装置５０から中継装置４０を介して、操作情報を受信する。通信部２１は、検索要求情報を、情報作成装置５０から中継装置４０を介して受信する。検索要求情報は、履歴情報を検索した結果である検索結果を要求する情報である。履歴情報は、対象設備１０の事象情報及び操作情報の少なくとも一方と時刻情報との組の履歴を含む。対象設備１０の事象情報は、観測装置３０が観測した事象を表す情報を含んでもよい。通信部２１は、制御部２２から取得した検索結果を、中継装置４０に送信する。
【００１９】
制御部２２は、情報作成装置５０から中継装置４０を介して受信した操作情報を、通信部２１から取得する。操作情報は、凝集剤などの薬品の注入量を定める情報、紫外線の照射量を定める情報、取水ゲート１１の開度を定める情報、ポンプＰ１の運転情報、ポンプＰ２の運転情報や、バルブＢＬの開度を定める情報等を含んでもよい。操作情報は、対象設備１０の操作モードが自動又は手動のいずれであるかを表す情報等を含んでもよい。
【００２０】
制御部２２は、受信した操作情報に基づいて、通信部２１を介して対象設備１０に制御情報を出力する。制御情報は、対象設備１０を制御する情報である。制御情報は、機器を駆動するための電力の電圧値や電流値を表す情報を含んでもよい。
【００２１】
制御部２２は、対象設備１０の事象情報を、通信部２１から取得する。制御部２２は、対象設備１０の事象情報及び操作情報の少なくとも一方と時刻情報との組に基づいて、履歴情報を作成する。制御部２２は、作成された履歴情報を、データベース２３に記憶させる。
【００２２】
制御部２２は、情報作成装置５０から中継装置４０を介して受信した検索要求情報を、通信部２１から取得する。制御部２２は、データベース２３に記憶されている履歴情報を、検索要求情報に応じて検索する。制御部２２は、この検索結果を、通信部２１と中継装置４０を介して、情報作成装置５０に送信する。
【００２３】
制御部２２は、観測装置３０が観測した事象を表す情報を、通信部２１から取得する。制御部２２は、大雨などの異常時では、平常時と比較して相対的に短い周期で観測装置３０が観測した事象を表す情報を、相対的に短い周期で繰り返し取得してもよい。制御部２２は、観測装置３０が観測した事象を表す情報を時刻情報に対応付けて、履歴情報を作成してもよい。制御部２２は、作成された履歴情報をデータベース２３に記憶させる。
【００２４】
制御部２２は、データベース２３の空き容量が所定容量以下になった場合、通信部２１を介して、情報作成装置５０と情報端末６０にアラームを送信してもよい。制御部２２は、データベース２３の空き容量が所定容量以下になった場合、データベース２３が記憶している履歴情報の少なくとも一部を、不揮発性の記憶媒体に保存してもよい。この記憶媒体は、例えば、光ディスクである。
【００２５】
データベース２３は、作成された履歴情報を記憶する。データベース２３は、フラッシュメモリ、ハードディスクドライブ等の不揮発性メモリ（非一時的な記憶媒体）を有してもよい。つまり、データベース２３は、停電しても履歴情報を保持することができる。また、この不揮発性メモリは、制御部２２がプロセッサである場合、制御部２２を動作させるためのプログラムを記憶してもよい。
【００２６】
図２は、第１の実施形態における、履歴情報を示す図である。制御部２２は、特定個所を表す印を、履歴情報に付与する。特定個所を表す印は、例えば、キーワードで表されてもよい。キーワードは、例えば、「自動」、「手動」、「開始」、「変更」、「閾値」、「最大値」や「最小値」などである。キーワードは、対象設備１０の操作情報の勘所（ポイント）を表す単語として、予め定められる。キーワードは、対象設備１０の異常を表す単語として、予め定められてもよい。制御部２２は、検索要求情報に応じた特定個所を表す印が付与された情報を、履歴情報から検索可能である。制御部２２は、検索結果を通信部５１に送信する。
【００２７】
履歴情報の項目は、年月日、時刻、事象及び操作である。図２に示す履歴情報では、年月日「２０１４年６月１日」と、時刻「ｔ０」と、事象「雨量は、Ｒ１［ｍｍ／ｈ］であった。」が対応付けられている。年月日「２０１４年６月１日」と、時刻「ｔ１」と、事象「雨量は、閾値Ｒ２［ｍｍ／ｈ］であった。」が対応付けられている。年月日「２０１４年６月１日」と、時刻「ｔ２」と、事象「水位計１３は、沈砂池１２の水位がＬ１であることを示した。」が対応付けられている。年月日「２０１４年６月１日」と、時刻「ｔ３」と、事象「水位計１３は、沈砂池１２の水位が閾値Ｌ２であることを示した。」が対応付けられている。
【００２８】
年月日「２０１４年６月１日」と、時刻「ｔ４」と、事象「雨量は、最大値Ｒ３［ｍｍ／ｈ］であった。運転員は、バルブＢＬの操作モードを、自動から手動に変更した。」が対応付けられている。年月日「２０１４年６月１日」と、時刻「ｔ５」と、事象「水位計１３は、沈砂池１２の水位が最大値Ｌ３であることを示した。ポンプＰ１の操作モードは自動であった。ポンプＰ２の操作モードは自動であった。制御装置は、ポンプＰ１とポンプＰ２の運転を開始した。」が対応付けられている。
【００２９】
年月日「２０１４年６月１日」と、時刻「ｔ６」と、事象「濁度計１５は、着水井１４の水の濁度が閾値Ｄ１であることを示した。運転員は、取水ゲート１１を閉じた。」が対応付けられている。年月日「２０１４年６月１日」と、時刻「ｔ７」と、事象「水位計１３は、沈砂池１２の水位が閾値Ｌ２であることを示した。運転員は、バルブＢＬを手動で閉じた。運転員は、バルブＢＬの操作モードを、手動から自動に変更した。」が対応付けられている。
【００３０】
観測装置３０は、対象設備１０の敷地外の事象を観測し、対象設備１０の敷地外の事象情報を中継装置４０に出力する。観測装置３０は、対象設備１０の敷地外で発生した事象を観測する。例えば、観測装置３０は、雨量計や雨量レーダである場合、対象設備１０の敷地外に振った雨の量を観測する。観測装置３０は、固定周期で事象を観測してもよい。観測装置３０は、大雨などの異常時では、事象を観測する周期を、平常時と比較して短くしてもよい。
【００３１】
中継装置４０は、対象設備１０の敷地外の事象情報を、通信回線を介して観測装置３０から取得する。中継装置４０は、対象設備１０の敷地外の事象情報を、制御装置２０に転送する。
【００３２】
中継装置４０は、ＬＡＮ（Local Area Network）などのネットワークを介して、制御装置２０、情報作成装置５０や情報端末６０との通信を実行する。中継装置４０は、情報作成装置５０から取得した操作情報を、制御装置２０に転送する。中継装置４０は、情報作成装置５０から取得した検索要求情報を、制御装置２０に転送する。中継装置４０は、情報作成装置５０から取得した提示用情報を、制御装置２０に転送する。中継装置４０は、情報作成装置５０から取得した提示用情報を、情報端末６０に転送してもよい。情報端末６０については後述する。
【００３３】
中継装置４０は、制御装置２０から取得した対象設備１０の事象情報を、情報作成装置５０に転送する。中継装置４０は、制御装置２０から取得した履歴情報を、情報作成装置５０に転送する。中継装置４０は、制御装置２０から取得した検索結果を、情報作成装置５０に転送する。
【００３４】
情報作成装置５０（HIS： Human Interface Station）は、提示用情報を作成する。情報作成装置５０は、通信部５１と、操作部５２と、記憶部５３と、制御部５４と、表示部５５とを備える。
【００３５】
通信部５１は、制御部５４から取得した操作情報を、中継装置４０に送信する。通信部５１は、制御部５４から取得した検索要求情報を、中継装置４０に送信する。通信部５１は、制御部５４から取得した提示用情報を、中継装置４０に送信する。通信部５１は、対象設備１０の敷地外の事象情報を、中継装置４０から取得する。通信部５１は、対象設備１０の敷地外の事象情報を、中継装置４０に送信する。通信部５１は、対象設備１０の事象情報を、中継装置４０から取得する。通信部５１は、対象設備１０の事象情報を、制御部５４に送信する。通信部５１は、中継装置４０から取得した履歴情報を、制御部５４に送信する。
【００３６】
操作部５２は、運転員による操作を受け付ける。操作部５２は、運転員による操作に応じた操作信号を、制御部５４に出力する。運転員による操作に応じた操作信号は、例えば、時間帯情報を表す信号である。操作部５２は、例えば、キーボード、マウス、タッチパネルである。操作部５２は、タッチパネルである場合、表示部５５と一体でもよい。
【００３７】
記憶部５３は、ＲＡＭ（Random Access Memory）やレジスタ等の揮発性メモリを有する。記憶部５３は、ＲＯＭ（Read Only Memory）、フラッシュメモリ、ハードディスクドライブ等の不揮発性メモリ（非一時的な記憶媒体）を有してもよい。この不揮発性メモリは、ＣＰＵ等のプロセッサを動作させるためのプログラムを記憶する。
【００３８】
制御部５４は、監視部５４０と、抽出部５４１と、作成部５４２とを備える。監視部５４０と、抽出部５４１と、作成部５４２との一部または全部は、例えば、ＣＰＵ（Central Processing Unit）等のプロセッサが、メモリに記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部であってもよい。
【００３９】
監視部５４０は、通信部５１を介して、対象設備１０の事象情報を取得する。監視部５４０は、現在の対象設備１０の事象情報を、表示部５５に表示させる。これにより、運転員は、現在の対象装置１０の事象情報を監視することができる。監視部５４０は、現在の対象設備１０の事象情報を、特定の事象ごとに表示部５５に表示させてもよい。これにより、運転員は、現在の対象装置１０の事象情報の情報量が多い場合でも、現在の対象装置１０の事象情報を、特定の事象ごとに監視することができる。特定の事象は、例えば、対象装置１０に発生した異常を表す事象や、対象装置１０の運転状態を表す事象である。監視部５４０は、通信部５１から取得した検索結果を、表示部５５に表示させてもよい。監視部５４０は、運転員による操作に応じた操作信号に基づいて、検索要求情報を通信部５１に送信する。監視部５４０は、制御装置２０のデータベース２３に記憶されている履歴情報を、制御装置２０の制御部２２と同様に、検索要求情報に応じて検索してもよい。
【００４０】
抽出部５４１は、時間帯情報を表す信号を、操作部５２から取得する。抽出部５４１は、時間帯情報が示す時間帯の履歴情報を、通信部５１を介して、制御装置２０から取得する。抽出部５４１は、条件を満たす事象情報及び操作情報の少なくとも一方と時刻情報との組を、履歴情報から抽出する。この条件は、どのような条件でもよく、特定の条件に限定されない。例えば、この条件は、特定個所を表す印が付与されているという条件である。例えば、抽出部５４１は、特定個所を表す印としてのキーワードが付与されている事象情報及び操作情報の少なくとも一方と時刻情報との組を、履歴情報から抽出する。キーワードは、例えば、「自動」、「手動」、「開始」、「変更」、「閾値」、「最大値」や「最小値」などである。
【００４１】
抽出部５４１は、事象情報を表す値と閾値との大小関係に基づいて、事象情報と時刻情報との組を履歴情報から抽出してもよい。抽出部５４１は、事象情報を表す値が所定時間帯における最大値である否かに基づいて、履歴情報から事象情報と時刻情報との組を抽出してもよい。
【００４２】
作成部５４２は、抽出された事象情報及び操作情報の少なくとも一方と時刻情報との組に基づいて、提示用情報を作成する。例えば、作成部５４２は、抽出された事象情報及び操作情報の少なくとも一方と時刻情報との組を時系列に並べることにより、提示用情報を作成する。作成部５４２は、提示用情報を表示部５５に出力する。この提示用情報は、表示部５５に表示される。作成部５４２は、通信部５１を介して、提示用情報を情報端末６０に送信してもよい。この提示用情報は、情報端末６０の表示部６５に表示される。作成部５４２は、通信部５１を介して、提示用情報を制御装置２０に送信してもよい。この提示用情報は、制御装置２０のデータベース２３に記憶される。
【００４３】
図３は、第１の実施形態における、提示用情報の図である。抽出部５４１は、キーワードが含まれる事象情報及び操作情報の少なくとも一方と時刻情報との組を、履歴情報から抽出する。キーワード「閾値」が含まれる事象情報は、時刻ｔ１、ｔ３及びｔ６に対応する各事象情報である。キーワード「自動」が含まれる事象情報は、時刻ｔ４及びｔ７に対応する各事象情報である。キーワード「手動」が含まれる事象情報は、時刻ｔ４及びｔ７に対応する各事象情報である。キーワード「最大値」が含まれる事象情報は、時刻ｔ４に対応する各事象情報である。
【００４４】
作成部５４２は、抽出された事象情報及び操作情報の少なくとも一方と時刻情報との組を時系列に並べることにより、提示用情報を作成する。作成部５４２は、単位時間における雨量Ｒ２と雨量Ｒ１の差分が一定の雨量以上である場合、文字列「雨量が急上昇した。」を、時刻ｔ１に対応付けられた事象情報に含めてもよい。
【００４５】
表示部５５は、表示装置である。表示部５５は、画面を備える。表示部５５は、提示用情報を表示する。表示部５５は、現在の対象設備１０の事象情報を表示する。表示部５５は、対象設備１０の履歴情報を表示する。表示部５５は、対象設備１０の履歴情報のグラフを表示する。表示部５５は、履歴情報から特定個所を検索した結果を表示する。
【００４６】
図４は、第１の実施形態における、履歴情報のグラフを示す図である。履歴情報のグラフの横軸は、時刻を示す。履歴情報のグラフの縦軸は、事象情報及び操作情報を示す。図４に示すグラフは、図２に示す履歴情報のグラフである。図４では、上段から１段目の事象情報は、雨量情報である。上段から２段目の事象情報は、水位情報である。上段から３段目の事象情報は、水の濁度情報である。上段から４段目の操作情報は、運転状態情報である。図４では、運転状態情報は、ポンプＰ１の運転状態と、ポンプＰ２の運転状態と、取水ゲート１１の運転状態（開度）と、バルブＢＬの運転状態（開度）とを表す。表示部５５は、現在の対象設備１０の事象情報及び操作情報のグラフを、履歴情報のグラフと同様に表示してもよい。
【００４７】
情報端末６０は、対象設備１０を監視する装置である。通信部６１と、操作部６２と、記憶部６３と、制御部６４と、表示部６５とを備える。通信部６１は、情報作成装置５０の通信部５１と同じ構成を有する。操作部６２は、情報作成装置５０の操作部５２と同じ構成を有する。記憶部６３は、情報作成装置５０の記憶部５３と同じ構成を有する。制御部６４は、情報作成装置５０の制御部５４と同じ構成を有する。表示部６５は、情報作成装置５０の表示部５５と同じ構成を有する。表示部６５は、情報作成装置５０の表示部５５が表示している事象情報とは異なる事象情報について、現在の対象装置１０の事象情報を表示してもよい。
【００４８】
図５は、第１の実施形態における、情報作成システム１ａの動作を示す図である。
抽出部５４１は、時間帯情報を表す信号を、操作部５２から取得する（ステップＳ１０１）。
抽出部５４１は、時間帯情報が示す時間帯の履歴情報を、通信部５１を介して、制御装置２０から取得する（ステップＳ１０２）。
抽出部５４１は、条件を満たす事象情報及び操作情報の少なくとも一方と時刻情報との組を、履歴情報から抽出する（ステップＳ１０３）。
作成部５４２は、抽出された組に基づいて、提示用情報を作成する（ステップＳ１０４）。
作成部５４２は、時間帯情報の時間帯について提示用情報の作成が完了したか否かを判定する（ステップＳ１０５）。提示用情報の作成が完了していない場合（ステップＳ１０５：ＮＯ）、作成部５４２は、ステップＳ１０２に処理を戻す。提示用情報の作成が完了した場合（ステップＳ１０５：ＹＥＳ）、作成部５４２は、作成された提示用情報を、制御装置２０のデータベース２３に記憶させる（ステップＳ１０６）。
【００４９】
以上のように、第１の実施形態の情報作成装置５０は、抽出部５４１と、作成部５４２とを持つ。抽出部５４１は、条件を満たす事象情報及び操作情報の少なくとも一方と時刻情報との組を、履歴情報から抽出する。作成部５４２は、抽出した組を時系列に並べた提示用情報を作成する。
【００５０】
第１の実施形態の情報作成システム１ａは、情報作成装置５０と、データベース２３とを持つ。情報作成装置５０は、抽出部５４１と、作成部５４２とを持つ。抽出部５４１は、条件を満たす事象情報及び操作情報の少なくとも一方と時刻情報との組を、対象設備１０の履歴情報から抽出する。作成部５４２は、抽出した組を時系列に並べた提示用情報を作成する。データベース２３は、履歴情報を記憶する。
【００５１】
第１の実施形態の情報作成プログラムは、抽出する手順と、作成する手順とを持つ。抽出する手順では、コンピュータが、条件を満たす事象情報及び操作情報の少なくとも一方と時刻情報との組を、対象設備１０の履歴情報から抽出する。抽出する手順では、コンピュータが、抽出した組を時系列に並べた提示用情報を作成する。
【００５２】
第１の実施形態の情報作成方法は、情報作成システム１ａにおける情報作成方法であって、抽出するステップと、作成するステップとを持つ。抽出するステップでは、情報作成システム１ａは、条件を満たす事象情報及び操作情報の少なくとも一方と時刻情報との組を、対象設備１０の履歴情報から抽出する。作成するステップでは、情報作成システム１ａは、抽出した組を時系列に並べた提示用情報を作成する。
【００５３】
この構成によって、作成部５４２は、抽出した組を時系列に並べた提示用情報を作成する。これにより、第１の実施形態の情報作成装置５０、情報作成システム１ａ、情報作成プログラム及び情報作成方法は、対象設備１０の操作情報を含む提示用情報を作成することができる。この結果、対象設備１０の運転員は、台風、豪雨や洪水が発生した場合でも、マニュアル（手引書）として使用可能な提示用情報に基づいて、対象設備１０を安全に運転することができる。
【００５４】
監視部５４０は、運転員が操作部５２を操作した場合、通信部５１を介して、制御装置２０の制御部２２に検索要求情報を送信する。制御部２２は、検索要求情報に応じた特定個所を表す印が付与された情報を、履歴情報から検索する。制御部２２は、検索結果を通信部５１に送信する。これにより、対象設備１０の運転員は、過去に発生した大雨などの異常時の履歴情報を、データベース２３から容易に呼び出すことができる。
【００５５】
検索結果は、例えば、
「２０１４年  異常時  （１）２０１４．  ６．１−２０１４．  ６．２
（２）２０１４．１０．５−２０１４．１０．６」
のように、表示部５５に表示される。
【００５６】
（第２の実施形態）
第２の実施形態では、対象施設が下水処理場である点が、第１の実施形態と相違する。第２の実施形態では、第１の実施形態との相違点についてのみ説明する。
【００５７】
図６は、第２の実施形態における、情報作成システム１ｂの構成を示す図である。情報作成システム１ｂは、対象設備７０と、制御装置２０と、観測装置３０と、中継装置４０と、情報作成装置５０と、情報端末６０とを備える。情報作成装置５０と情報端末６０は、例えば、情報作成システム１ｂの中央操作室に備えられる。情報作成システム１ｂは、以下に説明する処理によって、マニュアル（手引書）として使用可能な提示用情報を作成する。情報作成システム１ｂは、対象設備７０の運転員（オペレータ）などに、提示用情報を提示する。
【００５８】
提示用情報は、対象設備７０の事象情報及び操作情報の少なくとも一方と時刻情報との組を、時系列に並べた情報である。事象情報（トレンドデータ）は、対象設備７０の敷地内や敷地外において発生した事象を表す情報である。操作情報は、対象設備７０において運転員によってなされた操作を表す情報である。
【００５９】
対象設備７０は、情報作成装置５０によって監視される対象の設備である。対象設備７０は、どのような設備でもよく、特定の設備に限定されない。第２の実施形態では、対象設備７０は、下水処理場である。対象設備７０は、流入ゲート７１と、除塵機７２と、沈砂池７３と、ポンプＰ３と、最初沈殿池７４と、反応槽７５と、ブロワ７６と、ポンプＰ４と、最終沈殿池７７と、塩素接触槽７８と、ポンプＰ５と、発電設備７９とを備える。
【００６０】
流入ゲート７１は、開度に応じて下水を通過させることにより、除塵機７２に下水を供給する。
除塵機７２は、所定の大きさ以上の材木やゴミを、下水から取り除く。除塵機７２は、複数でもよい。大雨の場合、全ての除塵機７２が運転されてもよい。
沈砂池７３は、下水に含まれる土砂類を沈殿させる。
ポンプＰ３は、制御装置２０による制御に応じて、沈砂池７３の水を最初沈殿池７４に供給する。
最初沈殿池７４（第一沈澱池）は、下水に含まれる汚れを沈殿させる。
【００６１】
反応槽７５は、微生物の作用によって、下水に含まれる汚泥を塊にする。
ブロワ７６（blower）は、反応槽７５の水に空気を供給する。
ポンプＰ４は、制御装置２０による制御に応じて、反応槽７５の水を最終沈殿池７７に供給する。
最終沈殿池７７（第二沈澱池）は、ポンプＰ４から供給された水を、処理済の水と汚泥とに分離する。
塩素接触槽７８では、注入された塩素が水を消毒する。
発電設備７９は、発電した電力を、情報作成システム１ｂの各部に供給する。
ポンプＰ５は、塩素接触槽７８の水を、河川などに放流する。
【００６２】
制御装置２０は、情報作成装置５０から中継装置４０を介して受信した操作情報に基づいて、対象設備７０を制御する。
表示部５５は、提示用情報を表示する。表示部５５は、現在の対象設備７０の事象情報を表示する。表示部５５は、対象設備７０の履歴情報を表示する。表示部５５は、対象設備７０の履歴情報のグラフを表示する。
【００６３】
次に、対象設備７０の操作情報を含む提示用情報を説明する。
雨水の混入比（＝「雨天の場合に対象設備７０に流入する下水の単位時間あたりの最大量」／「晴天の場合に対象設備７０に流入する下水の単位時間あたりの最大量」）が増大する場合、複数の運転員は、情報作成システム１ｂの中央操作室と対象設備７０において、提示用情報に基づいて、対象設備７０を運転する。
【００６４】
１．流入ゲート７１の操作情報
制御装置２０は、雨水の混入比が急激に増大する前から、ポンプＰ３とポンプＰ４を運転する。制御装置２０は、受信した操作情報に基づいて、流入ゲート７１の開度を調整してもよい。
【００６５】
（１−１）対象設備７０の操作モードは、自動モードである。つまり、制御装置２０は、受信した操作情報に基づいて、対象設備７０を制御する。大雨の場合、全ての流入ゲート７１の開度は、１００［％］である。流入ゲート７１の開度は、絞られてもよい。制御装置２０は、受信した操作情報に基づいて、対象設備７０への下水の流入量と、ポンプＰ３及びポンプＰ４の揚水量とのバランスを取るように、対象設備７０を制御する。
【００６６】
（１−２）大雨の場合、全ての流入ゲート７１の開度は、１００［％］である。流入ゲート７１の開度は、絞られなくてもよい。対象設備７０の運転員は、複数の観測装置３０が観測した雨量情報に基づいて、雨量を判断する。観測装置３０は、対象設備７０に対して上流の遠隔地に設置されてもよい。対象設備７０の運転員は、履歴情報に基づいて、対象設備７０への雨水の到達時刻を判断することができる。対象設備７０の運転員は、履歴情報に基づいて、雨量を判断することができる。
【００６７】
２．反応槽７５と最終沈殿池７７の操作情報
ポンプＰ３及びポンプＰ４の揚水能力は、単位時間あたりの最大の揚水量を基準にして、設計されている。最終沈殿池７７の容量は、１日あたりの最大の貯水量を基準にして、設計されている。ポンプＰ３及びポンプＰ４が最大揚水能力で運転を続けた場合、最終沈殿池７７から、活性汚泥が無くなってしまう場合がある。
【００６８】
（２−１）制御装置２０は、受信した操作情報に基づいて、ブロワ７６の運転を一時停止することにより、反応槽７５の汚泥を沈殿させる。これにより、制御装置２０は、汚泥の流出を防ぐことができる。制御装置２０は、可能な限り多くの電力量をポンプＰ３及びポンプＰ４に供給するため、受信した操作情報に基づいて、ブロワ７６の運転を停止してもよい。
【００６９】
（２−２）制御装置２０は、雨水の混入比が増大した場合、対象設備７０に備えられた発電設備７９を運転させてもよい。発電設備７９の操作モードは、自動モードでもよいし、手動モードでもよい。
【００７０】
（２−３）制御装置２０は、雨水の混入比が減少した場合、受信した操作情報に基づいて、ブロワ７６の運転を再開してもよい。
【００７１】
３．塩素接触槽７８の操作情報
制御装置２０は、受信した操作情報に基づいて、塩素接触槽７８に塩素を注入する。これにより、河川に放流される水は、水質基準を満たすことができる。
（３−１）制御装置２０は、受信した操作情報に基づいて、塩素の注入量を増加させてもよい。
【００７２】
（３−２）制御装置２０は、汚泥の塊が解体された場合、受信した操作情報に基づいて、ポリ塩化アルミニウム（PAC：Poly Aluminum Chloride）を水に注入することにより、解体された汚泥を再び塊にしてもよい。
【００７３】
（３−３）制御装置２０は、受信した操作情報に基づいて、沈砂池７３の水を塩素接触槽７８に直接供給してもよい。これにより、制御装置２０は、雨水の混入比が急激に増大した場合でも、反応槽７５の汚泥を守ることができる。
【００７４】
４．反応槽７５と最終沈殿池７７の操作情報
制御装置２０は、受信した操作情報に基づいて、最初沈殿池７４の水を最終沈殿池７７に直接供給してもよい。これにより、制御装置２０は、雨水の混入比が急激に増大した場合でも、反応槽７５の汚泥を守ることができる。
【００７５】
５．ポンプＰ３及びポンプＰ４の操作情報
制御装置２０は、受信した操作情報に基づいて、雨水の混入比が増大した場合、水位情報に応じて運転してもよい。
【００７６】
６．発電設備７９の操作情報
対象設備７０は、複数の発電設備７９を備えてもよい。雨水の混入比が増大した場合、制御装置２０は、受信した操作情報に基づいて、複数の発電設備７９を運転する。制御装置２０は、発電設備７９が発電した電力で、ポンプＰ３及びポンプＰ４を駆動させてもよい。これにより、制御装置２０は、消費電力量を抑えることができる。制御装置２０は、商用電力の消費量のピークを削減することができる。
【００７７】
７．商用電力の操作情報
商用電力の系統は、複数回線でもよい。
【００７８】
８．ポンプＰ５の操作情報
雨水の混入比が増大した場合、制御装置２０は、受信した操作情報に基づいて、ポンプＰ５の放流ゲートの開度を調整してもよい。
【００７９】
以上のように、第２の実施形態の情報作成装置５０は、抽出部５４１と、作成部５４２とを持つ。抽出部５４１は、対象設備７０の事象情報が時刻情報に対応付けられた履歴情報から、条件を満たす事象情報及び時刻情報を抽出する。作成部５４２は、抽出した事象情報及び時刻情報を時系列に並べた提示用情報を作成する。
【００８０】
第２の実施形態の情報作成システム１ｂは、情報作成装置５０と、データベース２３とを持つ。情報作成装置５０は、抽出部５４１と、作成部５４２とを持つ。抽出部５４１は、条件を満たす事象情報及び操作情報の少なくとも一方と時刻情報との組を、対象設備７０の履歴情報から抽出する。作成部５４２は、抽出した組を時系列に並べた提示用情報を作成する。データベース２３は、履歴情報を記憶する。
【００８１】
第２の実施形態の情報作成プログラムは、抽出する手順と、作成する手順とを持つ。抽出する手順では、コンピュータが、条件を満たす事象情報及び操作情報の少なくとも一方と時刻情報との組を、対象設備７０の履歴情報から抽出する。抽出する手順では、コンピュータが、抽出した組を時系列に並べた提示用情報を作成する。
【００８２】
第２の実施形態の情報作成方法は、情報作成システム１ｂにおける情報作成方法であって、抽出するステップと、作成するステップとを持つ。抽出するステップでは、情報作成システム１ｂは、条件を満たす事象情報及び操作情報の少なくとも一方と時刻情報との組を、対象設備７０の履歴情報から抽出する。作成するステップでは、情報作成システム１ｂは、抽出した組を時系列に並べた提示用情報を作成する。
【００８３】
この構成によって、作成部５４２は、抽出した組を時系列に並べた提示用情報を作成する。これにより、第２の実施形態の情報作成装置５０、情報作成システム１ｂ、情報作成プログラム及び情報作成方法は、対象設備７０の操作情報を含む提示用情報を作成することができる。対象設備７０の運転員は、台風、豪雨や洪水が発生した場合でも、提示用情報に基づいて、対象設備７０を安全に運転することができる。
【００８４】
以上説明した少なくともひとつの実施形態によれば、履歴情報から組を抽出する抽出部５４１と、抽出した組を時系列に並べた提示用情報を作成する作成部５４２とを持つことにより、情報作成装置５０は、水処理設備の操作情報を含む提示用情報を作成することができる。
【００８５】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８６】
１ａ…情報作成システム、１ｂ…情報作成システム、１０…対象設備、１１…取水ゲート、１２…沈砂池、１３…水位計、１４…着水井、１５…濁度計、１６…フロック形成池、１７…沈殿池、１８…ろ過池、１９…混和池、ＣＷ…浄水池、２０…制御装置、２１…通信部、２２…制御部、２３…データベース、３０…観測装置、４０…中継装置、５０…情報作成装置、５１…通信部、５２…操作部、５３…記憶部、５４…制御部、５５…表示部、６０…情報端末、６１…通信部、６２…操作部、６３…記憶部、６４…制御部、６５…表示部、７０…対象設備、７１…流入ゲート、７２…除塵機、７３…沈砂池、７４…最初沈殿池、７５…反応槽、７６…ブロワ、７７…最終沈殿池、７８…塩素接触槽、７９…発電設備、５４０…監視部、５４１…抽出部、５４２…作成部、Ｐ１…ポンプ、Ｐ２…ポンプ、Ｐ３…ポンプ、Ｐ４…ポンプ、Ｐ５…ポンプ、ＢＬ…バルブ
【図１】
0006509504.tif 000002
【図２】
0006509504.tif 000003
【図３】
0006509504.tif 000004
【図４】
0006509504.tif 000005
【図５】
0006509504.tif 000006
【図６】
0006509504.tif 000007